【事件の表示】
　特願２０１５−　５２６７１号「遊技機」拒絶査定不服審判事件〔平成２８年　９月２９日出願公開、特開２０１６−１７１８５６号〕について、次のとおり審決する。
【結　論】
　本件審判の請求は、成り立たない。
【理　由】
第１　手続の経緯
　本願は、平成２７年３月１６日の出願であって、平成２９年４月４日付けで拒絶の理由が通知され、同年５月１２日に意見書が提出されたが、同年６月８日付け（発送日：６月１３日）で拒絶査定がなされ、これに対して、平成２９年７月２５日付けで拒絶査定不服審判の請求がなされるとともに手続補正（以下、「本件補正」という。）がなされたものである。
第２　本件補正についての補正却下の決定
［補正却下の決定の結論］
　本件補正を却下する。
［理由］
１．本件補正の概要
　本件補正は特許請求の範囲の請求項１を補正する内容を含んでおり、出願時と本件補正の特許請求の範囲の請求項１の記載はそれぞれ、以下のとおりである（下線部は、補正箇所を示す。）。
（補正前：出願時）
「【請求項１】
　可変表示を行う遊技機であって、
　複数種類の可変表示パターンの何れかにより可変表示を実行する可変表示実行手段を備え、
　前記可変表示実行手段は、
　可変表示を開始し、所定の動作を伴う仮停止態様を経て、可変表示を確定停止させる第１手段と、
　可変表示を開始し、仮停止態様を経て特定演出を実行した後に可変表示を確定停止させる第２手段とを含み、
　仮停止態様とする期間は、可変表示パターンの種類によって異なる、
　ことを特徴とする遊技機。」
（補正後：本件補正である平成２９年７月２５日付け手続補正）
「【請求項１】
　可変表示を行う遊技機であって、
　
リーチ演出を実行するものを含む
　前記可変表示実行手段は、
　可変表示を開始し、所定の動作を伴う仮停止態様を経て、可変表示を確定停止させる第１手段と、
　可変表示を開始し、仮停止態様を経て特定演出を実行した後に可変表示を確定停止させる第２手段とを含み、
　仮停止態様とする期間は、
実行される
　ことを特徴とする遊技機。」
２．補正の適否
（１）補正後の請求項１は、補正前の請求項１に記載された発明特定事項である「複数種類の可変表示パターン」について、「リーチ演出を実行するものを含む」ことを特定することにより、補正前の請求項１に記載された「複数種類の可変表示パターン」を限定するものである。
（２）補正後の請求項１は、「仮停止態様とする期間」について、補正前の「可変表示パターンの種類によって異なる」から、補正後の「実行される可変表示パターンの種類によって異なる」と特定することにより、「仮停止態様とする期間」を限定するものである。
　そして、補正後の請求項１に記載された発明は、補正前の特許請求の範囲に記載された発明と、産業上の利用分野及び解決しようとする課題が同一であるので、本件補正は、特許法第１７条の２第５項第２号に規定する「特許請求の範囲の減縮」を目的とする補正に該当する。
　そして、本件補正は、【０２６７】、図５、図２２、図２３等の記載に基づいており、新規事項を追加するものではない。
３．独立特許要件
　そこで、本件補正後の請求項１に記載された発明が特許出願の際独立して特許を受けることができるものであるか否か、すなわち、特許法第１７条の２第６項において準用する同法第１２６条第７項の規定に適合するか否か、について以下において検討する。
（１）本件補正後の請求項１に係る発明
　本件補正後の請求項１に係る発明（以下、「本願補正発明」という。）は、上記１．の本件補正の概要において示した次に特定されるとおりのものである（Ａ〜Ｆについては、発明特定事項を分説するため当審で付した。）。
「Ａ　可変表示を行う遊技機であって、
Ｂ　リーチ演出を実行するものを含む複数種類の可変表示パターンの何れかにより可変表示を実行する可変表示実行手段を備え、
Ｃ　前記可変表示実行手段は、
Ｄ　可変表示を開始し、所定の動作を伴う仮停止態様を経て、可変表示を確定停止させる第１手段と、
Ｅ　可変表示を開始し、仮停止態様を経て特定演出を実行した後に可変表示を確定停止させる第２手段とを含み、
Ｆ　仮停止態様とする期間は、実行される可変表示パターンの種類によって異なる、
　ことを特徴とする遊技機。」
（２）刊行物１に記載された事項
　原査定の拒絶の理由に引用された本願の出願前に頒布された刊行物である特開２００１―３２１５１６号公報（以下、「刊行物」という。）には、図面と共に次の事項が記載されている（下線は当審で付した。）。
（ア）「【請求項１】　
遊技領域に設けられて変動図柄を表示する特別図柄表示装置
前記変動図柄が変動後所定の態様で一旦停止して、再度、変動と一旦停止とを所定回数繰り返した後確定停止する複数の再変動パターン
前記複数の再変動パターン
から一の再変動パターンを選択して、この再変動パターンに基づいて変動図柄を特別図柄表示装置を介して表示する再変動表示手段とを備えたパチンコ機
前記複数の再変動パターンは、最初の一旦停止開始時から次の回の変動開始時までの時間が異なる
パチンコ機
（イ）「【請求項２】　前記複数の
再変動パターンは、前記所定回数が０回の再変動パターンを含む
（ウ）「【請求項１０】　 
前記変動図柄の一部が所定形態で揃った複数のリーチ図柄を記憶するリーチ図柄記憶手段を備え、
前記再変動表示手段は、前記所定の態様がリーチ図柄の場合には、所定回数になる前の回までの一旦停止させて表示する図柄として前記一部の所定形態が同じ一のリーチ図柄を選択して表示する
（エ）「【００３３】次に、図２において、
パチンコ機１における遊技盤２上の遊技領域
【００３４】
遊技領域１１のほぼ中央には、
特別図柄表示装置１８が配設され
特別図柄表示装置１８には、液晶表示器１９が
取り付けられている。この液晶表示器１９は、
変動図柄を表示する液晶パネルであって、
【００３５】また、特別図柄表示装置１８の直下には、第１始動口３１が配設され、この第１始動口３１の左右には各ゲート３２、３３が配設されている。この第１始動口３１には、パチンコ球の入賞を検出する第１始動口スイッチ３１Ａ（図３参照）が設けられ、
パチンコ球の入賞を検出することで液晶表示器１９に表示されている特別図柄が変動する
（オ）「【０１７２】次に、Ｓ１８において、表示用ＣＰＵ９６は、液晶表示器１９の
変動図柄の変動を開始する
・・・
【０２４６】次に、表示用ＣＰＵ９６が主基板７１のＣＰＵ７５から指示された
図柄変動開始指令信号が「大当たり図柄」として「３３３」の図柄信号と再変動パターン信号として「パターン８」である場合に、
【０２４７】
先ず、
第１回目に一旦停止させる「一旦停止図柄」として「４４４」を決定し、該「４４４」に対応する「大当たり図柄」のキャラクタを画面中央部に「約８秒間」上下に揺動させて表示する
【０２４８】
次に、
第２回目に一旦停止させる「一旦停止図柄」として「３３３」を決定し、この「４４４」が揃った状態で、且つ視認可能な速度で画面上側に上昇しつつ、「３３３」が揃った状態で、且つ視認可能な速度で画面下側から上昇して画面中央部に
上下に揺動しながら「約１秒間」表示される
【０２４９】
次に、
「一旦停止図柄」を画面中央部に確定停止表示する
【０２５０】次に、表示用ＣＰＵ９６が主基板７１のＣＰＵ７５から指示された
図柄変動開始指令信号が「大当たり図柄」として「３３３」の図柄信号と再変動パターン信号として「パターン９」である場合に、
【０２５１】
先ず、
第１回目に一旦停止させる「一旦停止図柄」として「３３３」を決定し、該「３３３」に対応する「大当たり図柄」のキャラクタを画面中央部に「約９秒間」上下に揺動させて表示する
【０２５２】
次に、
「一旦停止図柄」を画面中央部に確定停止表示する
　上記（ア）〜（オ）の記載事項から、以下の事項が導かれる。
（ａ）上記（エ）【００３３】〜【００３５】には、「パチンコ機１における遊技盤２上の遊技領域・・・遊技領域１１のほぼ中央には、・・・特別図柄表示装置１８が配設され・・・特別図柄表示装置１８には、液晶表示器１９が・・・取り付けられている。この液晶表示機１９は、・・・変動図柄を表示する液晶パネルであって、・・・パチンコ球の入賞を検出することで液晶表示器１９に表示されている特別図柄が変動する」と記載されている。
　よって、刊行物には、表示された変動図柄が変動するパチンコ機１が記載されているといえる。
（ｂ）上記（ア）【請求項１】には、「前記変動図柄が変動後所定の態様で一旦停止して、再度、変動と一旦停止とを所定回数繰り返した後確定停止する複数の再変動パターン・・・から一の再変動パターンを選択して、この再変動パターンに基づいて変動図柄を特別図柄表示装置を介して表示する再変動表示手段とを備え」ることが記載され、上記（ウ）【請求項１０】には、「前記変動図柄の一部が所定形態で揃った複数のリーチ図柄を記憶するリーチ図柄記憶手段を備え、前記再変動表示手段は、前記所定の態様がリーチ図柄の場合には、所定回数になる前の回までの一旦停止させて表示する図柄として前記一部の所定形態が同じ一のリーチ図柄を選択して表示する」ことが記載されている。
　よって、刊行物には、前記変動図柄が変動後所定の態様で一旦停止して、再度、変動と一旦停止とを所定回数繰り返した後確定停止する複数の再変動パターンから一の再変動パターンを選択して、この再変動パターンに基づいて変動図柄を特別図柄表示装置を介して表示し、所定の態様が、変動図柄の一部が所定形態で揃ったリーチ図柄の場合には、所定回数になる前の回までの一旦停止させて表示する図柄として前記一部の所定形態が同じ一のリーチ図柄を選択して表示する再変動表示手段が記載されているといえる。
（ｃ）上記（ア）【請求項１】には、「再変動表示手段」と記載されている。
（ｄ）上記（ア）【請求項１】には、「変動図柄が変動後所定の態様で一旦停止して、再度、変動と一旦停止とを所定回数繰り返した後確定停止する・・・再変動パターン・・・に基づいて変動図柄を・・・表示する再変動表示手段」と、上記（イ）【請求項２】には、「再変動パターンは、前記所定回数が０回の再変動パターンを含む」と、上記（オ）【０１７２】、【０２５０】〜【０２５２】には、「変動図柄の変動を開始する・・・図柄変動開始指令信号が「大当たり図柄」として「３３３」の図柄信号と再変動パターン信号として「パターン９」である場合に、・・・先ず、・・・第１回目に一旦停止させる「一旦停止図柄」として「３３３」を決定し、該「３３３」に対応する「大当たり図柄」のキャラクタを画面中央部に「約９秒間」上下に揺動させて表示する・・・次に、・・・「一旦停止図柄」を画面中央部に確定停止表示する」と、それぞれ、記載されている。
　ここで、「変動図柄の変動を開始」して、「先ず、」「第１回目に一旦停止させる「一旦停止図柄」として「３３３」を決定し、該「３３３」に対応する「大当たり図柄」のキャラクタを画面中央部に「約９秒間」上下に揺動させて表示」し、「次に、」「「一旦停止図柄」を画面中央部に確定停止表示する」「パターン９」は、「変動図柄が変動後所定の態様で一旦停止して、再度、変動と一旦停止とを」「０回」「繰り返した後確定停止する」ものであるから、「再変動パターン」といえる。
　よって、刊行物には、変動図柄の変動を開始し、図柄変動開始指令信号が「大当たり図柄」として「３３３」の図柄信号と再変動パターン信号として「パターン９」である場合に、先ず、第１回目に一旦停止させる「一旦停止図柄」として「３３３」を決定し、該「３３３」に対応する「大当たり図柄」のキャラクタを画面中央部に「約９秒間」上下に揺動させて表示し、次に、「一旦停止図柄」を画面中央部に確定停止表示する再変動表示手段が記載されているといえる。
（ｅ）上記（ア）【請求項１】には、「変動図柄が変動後所定の態様で一旦停止して、再度、変動と一旦停止とを所定回数繰り返した後確定停止する・・・再変動パターン・・・に基づいて変動図柄を・・・表示する再変動表示手段」と、上記（オ）【０１７２】、【０２４６】〜【０２４９】には、「変動図柄の変動を開始する・・・図柄変動開始指令信号が「大当たり図柄」として「３３３」の図柄信号と再変動パターン信号として「パターン８」である場合に、・・・先ず、・・・第１回目に一旦停止させる「一旦停止図柄」として「４４４」を決定し、該「４４４」に対応する「大当たり図柄」のキャラクタを画面中央部に「約８秒間」上下に揺動させて表示する・・・次に、・・・第２回目に一旦停止させる「一旦停止図柄」として「３３３」を決定し、この「４４４」が揃った状態で、且つ視認可能な速度で画面上側に上昇しつつ、「３３３」が揃った状態で、且つ視認可能な速度で画面下側から上昇して画面中央部に・・・上下に揺動しながら「約１秒間」表示される・・・次に、・・・「一旦停止図柄」を画面中央部に確定停止表示する」と、それぞれ、記載されている。
　ここで、「変動図柄の変動を開始」して、「先ず、第１回目に一旦停止させる「一旦停止図柄」として「４４４」を決定し、該「４４４」に対応する「大当たり図柄」のキャラクタを画面中央部に「約８秒間」上下に揺動させて表示」し、「次に、」「第２回目に一旦停止させる「一旦停止図柄」として「３３３」を決定し、この「４４４」が揃った状態で、且つ視認可能な速度で画面上側に上昇しつつ、「３３３」が揃った状態で、且つ視認可能な速度で画面下側から上昇して画面中央部に」「上下に揺動しながら「約１秒間」表示」し、「次に、」「「一旦停止図柄」を画面中央部に確定停止表示する」「パターン８」は、「変動図柄が変動後所定の態様で一旦停止して、再度、変動と一旦停止とを所定回数繰り返した後確定停止する」ものであるから、「再変動パターン」といえる。
　よって、刊行物には、変動図柄の変動を開始し、図柄変動開始指令信号が「大当たり図柄」として「３３３」の図柄信号と再変動パターン信号として「パターン８」である場合に、先ず、第１回目に一旦停止させる「一旦停止図柄」として「４４４」を決定し、該「４４４」に対応する「大当たり図柄」のキャラクタを画面中央部に「約８秒間」上下に揺動させて表示し、次に、第２回目に一旦停止させる「一旦停止図柄」として「３３３」を決定し、この「４４４」が揃った状態で、且つ視認可能な速度で画面上側に上昇しつつ、「３３３」が揃った状態で、且つ視認可能な速度で画面下側から上昇して画面中央部に上下に揺動しながら「約１秒間」表示し、次に、「一旦停止図柄」を画面中央部に確定停止表示する再変動表示手段が記載されているといえる。
（ｆ）上記（ア）【請求項１】には、「前記複数の再変動パターンは、最初の一旦停止開始時から次の回の変動開始時までの時間が異なる・・・パチンコ機」と記載されている。
　以上（ア）〜（オ）の記載事項及び上記（ａ）〜（ｆ）の認定事項を総合すれば、刊行物には、以下の発明（以下、「引用発明」という。）が記載されている（ａ〜ｆは発明の構成を分説するため当審で付した。）。
「ａ　表示された変動図柄が変動するパチンコ機１であって、
ｂ　前記変動図柄が変動後所定の態様で一旦停止して、再度、変動と一旦停止とを所定回数繰り返した後確定停止する複数の再変動パターンから一の再変動パターンを選択して、この再変動パターンに基づいて変動図柄を特別図柄表示装置を介して表示し、所定の態様が、変動図柄の一部が所定形態で揃ったリーチ図柄の場合には、所定回数になる前の回までの一旦停止させて表示する図柄として前記一部の所定形態が同じ一のリーチ図柄を選択して表示する再変動表示手段を備え、
ｃ　再変動表示手段は、
ｄ　変動図柄の変動を開始し、図柄変動開始指令信号が「大当たり図柄」として「３３３」の図柄信号と再変動パターン信号として「パターン９」である場合に、先ず、第１回目に一旦停止させる「一旦停止図柄」として「３３３」を決定し、該「３３３」に対応する「大当たり図柄」のキャラクタを画面中央部に「約９秒間」上下に揺動させて表示し、次に、「一旦停止図柄」を画面中央部に確定停止表示するときと、
ｅ　変動図柄の変動を開始し、図柄変動開始指令信号が「大当たり図柄」として「３３３」の図柄信号と再変動パターン信号として「パターン８」である場合に、先ず、第１回目に一旦停止させる「一旦停止図柄」として「４４４」を決定し、該「４４４」に対応する「大当たり図柄」のキャラクタを画面中央部に「約８秒間」上下に揺動させて表示し、次に、第２回目に一旦停止させる「一旦停止図柄」として「３３３」を決定し、この「４４４」が揃った状態で、且つ視認可能な速度で画面上側に上昇しつつ、「３３３」が揃った状態で、且つ視認可能な速度で画面下側から上昇して画面中央部に上下に揺動しながら「約１秒間」表示し、次に、「一旦停止図柄」を画面中央部に確定停止表示するときとがあり、
ｆ　前記複数の再変動パターンは、最初の一旦停止開始時から次の回の変動開始時までの時間が異なるパチンコ機。」　
（３）対比
　本願補正発明と引用発明とを対比する。なお、見出しは（ａ）〜（ｆ）とし、本願補正発明、引用発明の分説に対応させている。
（ａ）引用発明の「表示された変動図柄が変動するパチンコ機１」は、本願補正発明の「可変表示を行う遊技機」に相当する。
（ｂ）引用発明の「前記変動図柄が変動後所定の態様で一旦停止して、再度、変動と一旦停止とを所定回数繰り返した後確定停止する」「再変動パターン」は、再変動パターンに基づいて変動図柄を特別図柄表示装置を介して表示するものであるから、本願補正発明の「可変表示パターン」に相当するものである。
　そうすると、引用発明の「複数の再変動パターンから一の再変動パターンを選択して、この再変動パターンに基づいて変動図柄を特別図柄表示装置を介して表示」することは、本願補正発明の「複数種類の可変表示パターンの何れかにより可変表示を実行する」ことに相当する。
　そして、引用発明の「所定の態様が、変動図柄の一部が所定形態で揃ったリーチ図柄の場合には、所定回数になる前の回までの一旦停止させて表示する図柄として前記一部の所定形態が同じ一のリーチ図柄を選択して表示する」ことは、リーチ演出であるといえるから、本願補正発明の「リーチ演出を実行する」ことに相当するから、引用発明の「再変動パターン」は、「リーチ演出を実行するものを含む」ものである。
　よって、引用発明の「前記変動図柄が変動後所定の態様で一旦停止して、再度、変動と一旦停止とを所定回数繰り返した後確定停止する複数の再変動パターンから一の再変動パターンを選択して、この再変動パターンに基づいて変動図柄を特別図柄表示装置を介して表示し、所定の態様が、変動図柄の一部が所定形態で揃ったリーチ図柄の場合には、所定回数になる前の回までの一旦停止させて表示する図柄として前記一部の所定形態が同じ一のリーチ図柄を選択して表示する再変動表示手段」は、本願補正発明の「リーチ演出を実行するものを含む複数種類の可変表示パターンの何れかにより可変表示を実行する可変表示実行手段」に相当する。
（ｃ）上記（ｂ）より、引用発明の「再変動表示手段」は、本願補正発明の「可変表示実行手段」に相当する。
（ｄ）引用発明の「変動図柄の変動を開始」することは、本願補正発明の「可変表示を開始」することを含むものである。
　そして、引用発明の「先ず、第１回目に一旦停止させる「一旦停止図柄」として「３３３」を決定し、該「３３３」に対応する「大当たり図柄」のキャラクタを画面中央部に「約９秒間」上下に揺動させて表示」することは、本願補正発明の「所定の動作を伴う仮停止態様」に相当する。
　さらに、引用発明の「「一旦停止図柄」を画面中央部に確定停止表示する」ことは、本願補正発明の「可変表示を確定停止」することに相当する。
　そうすると、引用発明の「図柄変動開始指令信号が「大当たり図柄」として「３３３」の図柄信号と再変動パターン信号として「パターン９」である場合」の「再変動表示手段」は、本願補正発明の「第１手段」に相当するといえる。
　よって、引用発明の「変動図柄の変動を開始し、図柄変動開始指令信号が「大当たり図柄」として「３３３」の図柄信号と再変動パターン信号として「パターン９」である場合に、先ず、第１回目に一旦停止させる「一旦停止図柄」として「３３３」を決定し、該「３３３」に対応する「大当たり図柄」のキャラクタを画面中央部に「約９秒間」上下に揺動させて表示し、次に、「一旦停止図柄」を画面中央部に確定停止表示するとき」がある「再変動表示手段」は、本願補正発明の「可変表示を開始し、所定の動作を伴う仮停止態様を経て、可変表示を確定停止させる第１手段」に相当する機能を有しているといえる。
（ｅ）引用発明の「変動図柄の変動を開始」することは、本願補正発明の「可変表示を開始」することを含むものである。
　そして、引用発明の「先ず、第１回目に一旦停止させる「一旦停止図柄」として「４４４」を決定し、該「４４４」に対応する「大当たり図柄」のキャラクタを画面中央部に「約８秒間」上下に揺動させて表示」することは、本願補正発明の「仮停止態様」に相当する。
　また、引用発明の「次に、第２回目に一旦停止させる「一旦停止図柄」として「３３３」を決定し、この「４４４」が揃った状態で、且つ視認可能な速度で画面上側に上昇しつつ、「３３３」が揃った状態で、且つ視認可能な速度で画面下側から上昇して画面中央部に上下に揺動しながら「約１秒間」表示」することは、本願補正発明の「特定演出を実行する」ことに相当し、引用発明の「「一旦停止図柄」を画面中央部に確定停止表示する」ことは、本願補正発明の「可変表示を確定停止」することに相当する。
　そうすると、引用発明の「図柄変動開始指令信号が「大当たり図柄」として「３３３」の図柄信号と再変動パターン信号として「パターン８」である場合」の「再変動表示手段」は、本願補正発明の「第２手段」に相当するといえる。
　よって、引用発明の「変動図柄の変動を開始し、図柄変動開始指令信号が「大当たり図柄」として「３３３」の図柄信号と再変動パターン信号として「パターン８」である場合に、先ず、第１回目に一旦停止させる「一旦停止図柄」として「４４４」を決定し、該「４４４」に対応する「大当たり図柄」のキャラクタを画面中央部に「約８秒間」上下に揺動させて表示し、次に、第２回目に一旦停止させる「一旦停止図柄」として「３３３」を決定し、この「４４４」が揃った状態で、且つ視認可能な速度で画面上側に上昇しつつ、「３３３」が揃った状態で、且つ視認可能な速度で画面下側から上昇して画面中央部に上下に揺動しながら「約１秒間」表示し、次に、「一旦停止図柄」を画面中央部に確定停止表示するとき」がある「再変動表示手段」は、本願補正発明の「可変表示を開始し、仮停止態様を経て特定演出を実行した後に可変表示を確定停止させる第２手段」に相当する機能を有しているといえる。
（ｃ，ｄ，ｅ）そして、上記（ｂ）より、「再変動表示手段」は、「複数の再変動パターンから一の再変動パターンを選択して」「表示」するものであるから、引用発明の「再変動表示手段は、変動図柄の変動を開始し、図柄変動開始指令信号が「大当たり図柄」として「３３３」の図柄信号と再変動パターン信号として「パターン９」である場合に、先ず、第１回目に一旦停止させる「一旦停止図柄」として「３３３」を決定し、該「３３３」に対応する「大当たり図柄」のキャラクタを画面中央部に「約９秒間」上下に揺動させて表示し、次に、「一旦停止図柄」を画面中央部に確定停止表示するときと、変動図柄の変動を開始し、図柄変動開始指令信号が「大当たり図柄」として「３３３」の図柄信号と再変動パターン信号として「パターン８」である場合に、先ず、第１回目に一旦停止させる「一旦停止図柄」として「４４４」を決定し、該「４４４」に対応する「大当たり図柄」のキャラクタを画面中央部に「約８秒間」上下に揺動させて表示し、次に、第２回目に一旦停止させる「一旦停止図柄」として「３３３」を決定し、この「４４４」が揃った状態で、且つ視認可能な速度で画面上側に上昇しつつ、「３３３」が揃った状態で、且つ視認可能な速度で画面下側から上昇して画面中央部に上下に揺動しながら「約１秒間」表示し、次に、「一旦停止図柄」を画面中央部に確定停止表示するときとがあ」ることは、本願補正発明の「前記可変表示実行手段は、可変表示を開始し、所定の動作を伴う仮停止態様を経て、可変表示を確定停止させる第１手段と、可変表示を開始し、仮停止態様を経て特定演出を実行した後に可変表示を確定停止させる第２手段とを含」むことを含むものである。
（ｆ）引用発明の「最初の一旦停止開始時から次の回の変動開始時までの時間」は、本願補正発明の「仮停止態様とする期間」に相当する。
　よって、引用発明の「前記複数の再変動パターンは、最初の一旦停止開始時から次の回の変動開始時までの時間が異なるパチンコ機」は、本願補正発明の「仮停止態様とする期間は、実行される可変表示パターンの種類によって異なる」「遊技機」に相当する。
　上記（ａ）〜（ｆ）の対比により、本願補正発明と引用発明とは、
「Ａ　可変表示を行う遊技機であって、
Ｂ　リーチ演出を実行するものを含む複数種類の可変表示パターンの何れかにより可変表示を実行する可変表示実行手段を備え、
Ｃ　前記可変表示実行手段は、
Ｄ　可変表示を開始し、所定の動作を伴う仮停止態様を経て、可変表示を確定停止させる第１手段と、
Ｅ　可変表示を開始し、仮停止態様を経て特定演出を実行した後に可変表示を確定停止させる第２手段とを含み、
Ｆ　仮停止態様とする期間は、実行される可変表示パターンの種類によって異なる遊技機。」
である点で一致しており、相違点はない。
（４）判断
　したがって、本願補正発明は引用発明と同一であり、刊行物に記載された発明といえる。 
　仮に、相違点があったとしても、本願補正発明は引用発明から当業者が容易に想到することができたものであるといえる。 
（５）審判請求人の主張について
　審判請求書において、請求人は、「引用文献１に記載された「再変動パターン」は、上記４．（２−１）に示すように、一旦停止時間と、一旦停止を行った後の再変動の態様と、を特定するものであって、本願請求項１に記載された、「リーチ演出」を実行するものを含み、可変表示の開始から一旦停止するまでの態様について特定する「可変表示パターン」には該当しません」と主張している（６頁１５〜２０行）。
　しかしながら、上記（３）（ｂ）で検討したとおり、引用発明の「再変動パターン」は、「変動図柄が変動後所定の態様で一旦停止して、再度、変動と一旦停止とを所定回数繰り返した後確定停止する」ものであるから、「変動図柄」が「所定の態様で一旦停止」するまでの変動も含むものであり、この主張は採用できない。
　また、請求人は、「引用文献１には、本願請求項１に係る発明とは異なり、上記４．（１−１）に示す、「仮停止態様」とする期間が、何れの種類の「可変表示パターン」により可変表示が実行されるかに応じて異なる構成は、開示も示唆もされていません」と主張している（５頁２１〜２４行）。
　しかしながら、上記（３）（ｆ）で検討したとおり、引用発明には「前記複数の再変動パターンは、最初の一旦停止開始時から次の回の変動開始時までの時間が異なる」ものであることが記載されており、一方、本願補正発明において、「可変表示パターンの種類」について具体的に言及されていないことから両者の構成に差異は認められず、この主張は採用できない。
（６）小括
　よって、本願補正発明は刊行物に記載された発明であるか、又は引用発明に基づいて当業者が容易に発明できたものであり、特許法第２９条第１項第３号の規定に該当し、又は特許法第２９条第２項の規定に基づいて特許出願の際独立して特許を受けることができない。 
 
４．むすび
　以上より、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明
　本願補正発明は、上記第２のとおり却下されたので、本願の請求項１に係る発明（以下、「本願発明」という。）は、出願時の、上記第２の１．で補正前として記載されたとおりのものである。
１．刊行物に記載された事項
　原査定の拒絶の理由に引用された刊行物の記載事項、引用発明は、上記第２の３．（２）に記載したとおりである。
２．対比・判断
　本願発明は、本願補正発明の発明特定事項から、上記第２の２．（１）、（２）で示した限定事項を省いたものである。
　そうすると、本願発明の発明特定事項を実質的にすべて含み、さらに、他の発明特定事項を付加したものに相当する本願補正発明が、上記第２に記載したとおり、引用発明と同一であるか、引用発明に基づいて、当業者が容易に発明をすることができたものであるから、本願発明も、同様に、引用発明と同一であるか、引用発明に基づいて、当業者が容易に発明をすることができたものである。
３．むすび
　以上のとおり、本願発明は、特許法第２９条第１項第３号の規定に該当し、又は特許法第２９条第２項の規定に基づいて特許を受けることができないものである。
　よって、結論のとおり審決する。